(57)【要約】【課題】目標追跡装置が有する計算資源を有効に利用する。【解決手段】目標追跡装置は、ｎ個（ｎは１以上）のセンサから観測値を入力し、目標の航跡と相関のある観測値に基づいて航跡を更新することより、航跡を維持する航跡維持部と、航跡維持部から入力される観測値に基づいて、仮航跡と仮航跡が目標の航跡である確からしさを示す尤度比とを算出し、仮航跡の尤度比が判定条件を満たす場合に該仮航跡を航跡として航跡維持部に登録する航跡生成部と、自装置において目標の探索に用いるハードウェア資源のうち、現在利用していないハードウェア資源に対応する数の仮航跡を目標の航跡にする判定条件を決定する資源管理部とを具備する。【選択図】図１
2014044132.tif 000002
【特許請求の範囲】
【請求項１】
ｎ個（ｎは１以上）のセンサから観測値を入力し、目標の航跡と相関のある観測値に基づいて前記航跡を更新することより、前記航跡を維持する航跡維持部と、
前記航跡維持部から入力される前記観測値に基づいて、仮航跡と前記仮航跡が目標の航跡である確からしさを示す尤度比とを算出し、前記仮航跡の尤度比が判定条件を満たす場合に該仮航跡を航跡として前記航跡維持部に登録する航跡生成部と、
自装置において目標の探索に用いるハードウェア資源のうち、現在利用していないハードウェア資源に対応する数の仮航跡を目標の航跡にする前記判定条件を決定する資源管理部と
を具備することを特徴とする目標追跡装置。
【請求項２】
前記資源管理部は、
所定の閾値以上の尤度比を有する仮航跡であるか否かの条件を前記判定条件に含める
ことを特徴とする請求項１に記載の目標追跡装置。
【請求項３】
ｎ個（ｎは１以上）のセンサから観測値を入力し、目標の航跡と相関のある観測値に基づいて前記航跡を更新することより、前記航跡を維持する航跡維持ステップと、
前記航跡維持ステップで入力される前記観測値に基づいて、仮航跡と前記仮航跡が目標の航跡である確からしさを示す尤度比とを算出し、前記仮航跡の尤度比が判定条件を満たす場合に該仮航跡を航跡として登録する航跡生成ステップと、
自装置において目標の探索に用いるハードウェア資源のうち、現在利用していないハードウェア資源に対応する数の仮航跡を目標の航跡にする前記判定条件を決定する資源管理ステップと
を有することを特徴とする目標追跡方法。
【請求項４】
前記資源管理ステップでは、
所定の閾値以上の尤度比を有する仮航跡であるか否かの条件を前記判定条件に含める
ことを特徴とする請求項３に記載の目標追跡方法。
【請求項５】
目標追跡装置が有するコンピュータに、
ｎ個（ｎは１以上）のセンサから観測値を入力し、目標の航跡と相関のある観測値に基づいて前記航跡を更新することより、前記航跡を維持する航跡維持ステップと、
前記航跡維持ステップで入力される前記観測値に基づいて、仮航跡と前記仮航跡が目標の航跡である確からしさを示す尤度比とを算出し、前記仮航跡の尤度比が判定条件を満たす場合に該仮航跡を航跡として登録する航跡生成ステップと、
自装置において目標の探索に用いるハードウェア資源のうち、現在利用していないハードウェア資源に対応する数の仮航跡を目標の航跡にする前記判定条件を決定する資源管理ステップと
を実行させるためのプログラム。
【請求項６】
前記資源管理ステップでは、
所定の閾値以上の尤度比を有する仮航跡であるか否かの条件を前記判定条件に含める
ことを特徴とする請求項５に記載のプログラム。
【発明の詳細な説明】
【技術分野】
【０００１】
本発明の実施形態は、センサから供給される観測値を用い、目標の情報を提示する目標追跡装置及びその方法並びにプログラムに関する。
【背景技術】
【０００２】
センサから供給される観測値を用いて、目標の航跡を算出し、その結果を表示する目標追跡装置がある。従来の目標追跡装置の一例を図８に示す。同図は、従来の目標追跡装置の構成の一例を示すブロック図である。この目標追跡装置は、航跡維持部１０１、航跡生成部１０２、資源管理部１０３、操作・表示部１０４、及びセンサ１０５を具備している。
【０００３】
航跡維持部１０１は、センサ１０５から供給される観測値と、目標の確立航跡（Confirmed Track、以下では単に航跡と称する）との相関をとり、相関がある観測値を用いて目標の航跡を更新する。航跡維持部１０１は、目標の航跡と相関がない観測値を航跡生成部１０２に出力する。また、航跡維持部１０１は、目標の航跡と相関のある観測値を用いて更新した目標の航跡を操作・表示部１０４に出力する。
【０００４】
航跡生成部１０２は、航跡維持部１０１から入力される観測値、すなわち目標の航跡と相関がない観測値を、目標の航跡になる可能性がある仮航跡（Tentative Track）として扱う。航跡生成部１０２は、観測値と仮航跡との相関をとり、相関がない場合に観測値を新規の仮航跡として扱い、相関がある場合に仮航跡を更新する。また、航跡生成部１０２は、各仮航跡の尤度比をＳＰＲＴ（Sequential Probability Ratio Test）法により算出する。航跡生成部１０２は、算出した尤度比と上限閾値ＴＵと下限閾値ＴＬとに基づいて仮航跡を航跡とするか、仮航跡を破棄するかを決定する。ここで、上限閾値ＴＵは、仮航跡を目標の航跡と判定する際に用いられる値である。また、下限閾値ＴＬは、仮航跡を誤警報の航跡と判定する際に用いられる値である。
【０００５】
資源管理部１０３は、航跡維持部１０１における各目標の航跡に対する処理に要する計算資源の利用状況を取得する。資源管理部１０３は、取得した利用状況に基づいて、航跡維持部１０１における各目標の航跡の維持に最適な追跡処理の方式を選択する。資源管理部１０３は、選択した方式を適用するための切り替え制御を航跡維持部１０１に対して行う。
操作・表示部１０４は、航跡維持部１０１から入力される各目標の航跡を表示画面に表示する。
センサ１０５は、例えば、レーダ装置等のアクティブセンサや、赤外線カメラ又はビデオカメラ等のパッシブセンサであって、取得した受信信号に基づいて観測値を生成し、生成した観測値を航跡維持部１０１に出力する。
【０００６】
図９は、従来の目標追跡装置の航跡生成部１０２が行う仮航跡に対する処理の流れの具体例を示すフローチャートである。同図のフローチャートに例示するように、航跡生成部１０２は、航跡維持部１０１から観測値を入力する（ステップＳ１０１）。
航跡生成部１０２は、入力した観測値と各仮航跡との相関をとり（ステップＳ１０２）、観測値と仮航跡の対応関係を決定する。
航跡生成部１０２は、誤警報の航跡を目標の航跡と判定する第１種の誤り率と、目標の航跡を誤警報の航跡と判定する第２種の誤り率と、目標の検出確率と、誤警報の検出確率と、仮航跡をスキャンするスキャン回数と、仮航跡のスキャンにおける仮航跡更新回数とに基づいて、ステップＳ１０３からステップＳ１０８までの処理を行う。
航跡生成部１０２は、各仮航跡の尤度比を算出する（ステップＳ１０３）。
【０００７】
航跡生成部１０２は、以下のステップＳ１０４からステップＳ１０８までの処理を仮航跡ごとに繰り返して行う。
航跡生成部１０２は、ステップＳ１０３において算出した仮航跡の尤度比が下限閾値ＴＬ以下であるか否かを判定する（ステップＳ１０４）。仮航跡の尤度比が下限閾値ＴＬ以下である場合（ステップＳ１０４：ＹＥＳ）、航跡生成部１０２は、当該仮航跡を破棄し（ステップＳ１０８）、次の仮航跡に対する処理を行う。
一方、仮航跡の尤度比が下限閾値ＴＬ以下でない場合（ステップＳ１０４：ＮＯ）、航跡生成部１０２は、仮航跡の尤度比が上限閾値ＴＵ以上であるか否かを判定する（ステップＳ１０５）。
【０００８】
仮航跡の尤度比が上限閾値ＴＵ以上である場合（ステップＳ１０５：ＹＥＳ）、航跡生成部１０２は、当該仮航跡を航跡に確立する決定をし（ステップＳ１０６）、当該仮航跡を航跡として航跡維持部１０１に出力し（ステップＳ１０７）、次の仮航跡に対する処理を行う。
一方、仮航跡の尤度比が上限閾値ＴＵ以上でない場合（ステップＳ１０５：ＮＯ）、航跡生成部１０２は、当該仮航跡を仮航跡のままとして、次の仮航跡に対する処理を行う。
航跡生成部１０２は、観測値が入力されるごとに、上述のように仮航跡に対する処理を行う。
【先行技術文献】
【特許文献】
【０００９】
【特許文献１】特開２００３−４３１３２号公報
【非特許文献】
【００１０】
【非特許文献１】Samuel S.Blackman, ”Multiple-Target Tracking with Radar Application”, Artech House, 1986.
【発明の概要】
【発明が解決しようとする課題】
【００１１】
上記のように仮航跡を目標の航跡と判定する航跡確立方式として、ＳＰＲＴ法を用いた目標追跡装置や、Ｍ／Ｎ（M out of N）法を用いた目標追跡装置では、観測値と仮航跡との相関や各仮航跡の尤度比に基づいて航跡確立する航跡数が決定されるため、航跡確立する航跡数を直接制御することができない。そのため、航跡維持部１０１が有する計算資源に余裕があっても、航跡生成部１０２において仮航跡が目標の航跡と判定されるまで、航跡維持部１０１が有する計算資源を有効に活用することができないという課題がある。
また、目標追跡装置における動作モードとして、捜索モードにて航跡確立を行った後、捜索モードよりも追跡性能が向上するように、信号対雑音比や観測間隔を改善した追跡モードを用いて、目標の追跡を行う目標追跡装置でも、航跡確立する航跡数を直接制御することができない。そのため、目標追跡装置が有する追跡モードという資源に余裕があっても、航跡生成部１０２において仮航跡が目標の航跡と判定されるまで、目標追跡装置が有する資源を有効に活用することができないという課題がある。
【課題を解決するための手段】
【００１２】
本実施形態における目標追跡装置は、ｎ個（ｎは１以上）のセンサから観測値を入力し、目標の航跡と相関のある観測値に基づいて前記航跡を更新することより、前記航跡を維持する航跡維持部と、前記航跡維持部から入力される前記観測値に基づいて、仮航跡と前記仮航跡が目標の航跡である確からしさを示す尤度比とを算出し、前記仮航跡の尤度比が判定条件を満たす場合に該仮航跡を航跡として前記航跡維持部に登録する航跡生成部と、自装置において目標の探索に用いるハードウェア資源のうち、現在利用していないハードウェア資源に対応する数の仮航跡を目標の航跡にする前記判定条件を決定する資源管理部とを具備することを特徴とする。
【００１３】
また、本実施形態における目標追跡方法は、ｎ個（ｎは１以上）のセンサから観測値を入力し、目標の航跡と相関のある観測値に基づいて前記航跡を更新することより、前記航跡を維持する航跡維持ステップと、前記航跡維持ステップで入力される前記観測値に基づいて、仮航跡と前記仮航跡が目標の航跡である確からしさを示す尤度比とを算出し、前記仮航跡の尤度比が判定条件を満たす場合に該仮航跡を航跡として登録する航跡生成ステップと、自装置において目標の探索に用いるハードウェア資源のうち、現在利用していないハードウェア資源に対応する数の仮航跡を目標の航跡にする前記判定条件を決定する資源管理ステップとを有することを特徴とする。
【００１４】
また、本実施形態におけるプログラムは、目標追跡装置が有するコンピュータに、
ｎ個（ｎは１以上）のセンサから観測値を入力し、目標の航跡と相関のある観測値に基づいて前記航跡を更新することより、前記航跡を維持する航跡維持ステップと、前記航跡維持ステップで入力される前記観測値に基づいて、仮航跡と前記仮航跡が目標の航跡である確からしさを示す尤度比とを算出し、前記仮航跡の尤度比が判定条件を満たす場合に該仮航跡を航跡として登録する航跡生成ステップと、自装置において目標の探索に用いるハードウェア資源のうち、現在利用していないハードウェア資源に対応する数の仮航跡を目標の航跡にする前記判定条件を決定する資源管理ステップとを実行させることを特徴とする。
【図面の簡単な説明】
【００１５】
【図１】第１の実施形態における目標追跡装置の構成を示すブロック図である。
【図２】第１の実施形態における航跡維持部１の構成を示すブロック図である。
【図３】第１の実施形態における航跡記憶部１０が記憶する航跡テーブルの一例を示す図である。
【図４】第１の実施形態における航跡生成部２の構成を示すブロック図である。
【図５】第１の実施形態における目標追跡装置が仮航跡に対して行う処理の流れの具体例を示すフローチャートである。
【図６】第２の実施形態における目標追跡装置の構成を示すブロック図である。
【図７】第２の実施形態における目標追跡装置が仮航跡に対して行う処理の流れの具体例を示すフローチャートである。
【図８】従来の目標追跡装置の構成の一例を示すブロック図である。
【図９】従来の目標追跡装置の航跡生成部１０２が行う仮航跡に対する処理の流れの具体例を示すフローチャートである。
【発明を実施するための形態】
【００１６】
以下に本発明の実施形態における目標追跡装置について、図１から図７を参照して説明する。
【００１７】
（第１の実施形態）
図１は、第１の実施形態における目標追跡装置の構成を示すブロック図である。本実施形態の目標追跡装置は、航跡維持部１、航跡生成部２、資源管理部３、操作・表示部４、及び、センサ５を具備している。目標追跡装置は、センサ５が取得する観測値に基づいて、目標の航跡を算出し、その結果を表示する。
本実施形態における目標追跡装置では、自装置が有するハードウェア資源であって目標の探索に用いるハードウェア資源の利用状況を資源管理部３が把握する。資源管理部３が、把握した情報に基づいて、航跡生成部２における仮航跡に対する判定条件を制御することにより、自装置が有するハードウェア資源の有効利用を図る。
【００１８】
航跡維持部１には、センサ５が受信した受信信号に基づいて得られた観測値が入力される。観測値は、受信信号に対して所定の信号処理を施して得られる情報であって観測された目標の位置等（例えば、距離と仰角と方位角とを含む情報や、経度と緯度と高度とを含む情報など）と観測を行った時刻である観測時刻とを含む情報である。航跡維持部１は、センサ５から供給される観測値と、各目標の確立航跡（Confirmed Track、以下では単に航跡と称する）との相関をとり、相関がある観測値を用いて目標の航跡を更新することにより航跡を維持する。航跡維持部１は、目標の航跡と相関がない観測値を航跡生成部２に出力する。また、航跡維持部１は、各目標の航跡を操作・表示部４に出力する。また、航跡維持部１は、航跡生成部２において所定の条件を満たした仮航跡を取得し、航跡として記憶、維持する。
【００１９】
航跡生成部２には、航跡維持部１において各目標の航跡と相関がない観測値が入力される。航跡生成部２は、航跡維持部１から入力される観測値を、目標の航跡となる可能性がある仮航跡として扱う。具体的には、航跡生成部２は、観測値と各仮航跡との相関をとり、相関がある観測値を用いて各仮航跡を更新する。このとき、航跡生成部２は、各仮航跡と相関のない観測値を新たな仮航跡として扱う。
また、航跡生成部２は、各仮航跡に対して尤度比を算出し、算出した尤度比に基づいて、仮航跡を目標の航跡であるか否かの判定をする。また、航跡生成部２は、仮航跡を誤警報の航跡であるか否かの判定し、仮航跡が誤警報の航跡と判定した場合、当該仮航跡を削除する。
【００２０】
センサ５は、例えば、レーダ装置等のアクティブセンサや、赤外線カメラ又はビデオカメラ等のパッシブセンサであって、取得した受信信号に基づいて観測値を生成し、生成した観測値を航跡維持部１に出力する。センサ５は、予め定められた広範囲の方向又は領域に対して目標の捜索を行う捜索モードと、捜索により得られた方向又は領域であって目標が存在すると予測される方向又は領域に対して追跡を行う追跡モードとを備えている。例えば、センサ５は、一定の周期で捜索モードによる捜索を行い、航跡維持部１において扱われている目標に対して追跡モードによる追跡を行う。
【００２１】
捜索モードでは、センサ５は、例えばセンサ５の位置を中心とした全方位方向から取得する受信信号に基づいて目標の捜索を行う。また、追跡モードでは、センサ５は、目標が存在すると予測される方向又は領域から取得する受信信号に対して捜索モードより優れた信号対雑音比や短い時間間隔での処理により目標の追跡を行う。また、追跡モードでは、センサ５は、捜索モードより狭く任意の方向又は領域から受信信号を取得することになる。センサ５は、定期的に捜索モードの処理を行うことにより観測値を生成するとともに、航跡維持部１において扱われている航跡に対応する方向又は領域に対して追跡モードの処理を行うことにより観測値を生成する。
【００２２】
また、センサ５は航跡維持部１における航跡の状態に応じて追跡モードの処理を行う頻度を決定する。
例えば、目標の移動速度が速い場合や、狭い範囲に複数の目標が存在する可能性が高い場合などには、センサ５は追跡モードの処理を行う頻度を高くする。また、センサ５がアクティブセンサである場合、センサ５は航跡に対応する方向又は領域に対して送信する送信パルスの電力を高くしたり、送信パルスのパルス幅を広くしたり、送信デューティ比（送信パルス幅と送信パルス間隔の比率）を高くしたりする。すなわち、追跡モードでは捜索モードより長い時間、高いエネルギーを用いて目標の追跡を行ようにする。
また、センサ５は、追跡モードにおいて、航跡に対応する方向又は領域から受信する受信信号において積分するパルス数を増やしたり、受信信号に対する信号処理に掛ける時間を長くしたりする。また、センサ５が複数のレーダ装置等で構成される場合、目標毎に観測するセンサを割り当てたり、目標の数等に応じて、捜索モードと追跡モードとに割り当てるレーダ装置の数を選択するようにしてもよい。
【００２３】
ここで、仮航跡の尤度比とは、目標の相関領域である相関ゲート内に目標が含まれる確率と、相関ゲート内に誤警報が含まれる確率との比を時間軸の相関の有無に基づいて累積した数値である。すなわち、仮航跡の尤度比とは、仮航跡の相関ゲートと、航跡維持部１から供給される観測値との相関がとれた回数に比例する数値である。したがって、尤度比が高いほど仮航跡が目標の航跡である確からしさが高く、尤度比が低いほど仮航跡が目標の航跡である確からしさは低くなる。すなわち、尤度比が低いほど仮航跡が誤警報である可能性が高い。
【００２４】
資源管理部３は、航跡維持部１が有している計算資源の利用状況を把握する。計算資源とは、例えば、演算時間、プロセッサ利用率、利用プロセッサ数などである。資源管理部３は、把握した利用状況に基づいて、航跡生成部２が仮航跡を航跡に確立させる際に用いられる判定条件を決定する。資源管理部３は、判定条件を含む制御データを航跡生成部２に出力することにより、航跡に確立される仮航跡の数を制御して航跡維持部１に計算資源を有効に利用させる。航跡維持部１における計算資源の利用状況は、例えば、航跡維持部１において処理中の航跡の数で示される。なお、資源管理部３は、航跡維持部１において処理中の航跡の数や資源管理部３自身が管理する各航跡に設定しているモード（捜索モードと追跡モード）等の資源に基づいて、目標追跡装置の航跡維持部１やセンサ５における資源の利用状況を把握する。センサ５における資源とは、例えば、目標に対する捜索及び追跡に割り当てる時間（観測間隔、一回当たりの観測時間、及び単位時間当たりの観測頻度など）である。また、センサ５がアクティブセンサである場合には、送信する送信パルスの幅及び電力等が資源に含まれる。
操作・表示部４は、航跡維持部１から入力される航跡を表示画面に表示する。
【００２５】
図２は、本実施形態における航跡維持部１の構成を示すブロック図である。同図に示すように、航跡維持部１は、航跡記憶部１０、相関判定部１１、フィルタリング処理部１２、及び、相関ゲート生成部１３を備えている。
【００２６】
航跡記憶部１０には、目標の航跡ごとに対応する航跡情報を含む航跡テーブルが記憶されている。図３は、本実施形態における航跡記憶部１０が記憶する航跡テーブルの一例を示す図である。同図に示すように、航跡テーブルは、インデックス、航跡番号、更新時刻、平滑値、予測値、仮航跡更新回数（ｍ）、スキャン回数（ｋ）、及び、尤度比（ＳＴ）の各項目の列を有している。航跡テーブルの各行は、各項目の値を含み目標の航跡ごとに存在する航跡情報である。
【００２７】
インデックスは、航跡テーブルにおいて各行（航跡情報）を管理するための通し番号である。航跡番号は、航跡を一意に識別する番号である。更新時刻は、各目標の航跡の更新に用いられた観測値の観測時刻である。平滑値は、更新時刻が示す時刻における目標の状態ベクトル（ｘ（＾）：位置や速度等を含む）とその共分散行列（Ｐ（＾））とを含む情報である。予測値は、時刻（ｔｐ）と、当該時刻（ｔｐ）における目標の状態ベクトル（ｘ（〜）：位置や速度等を含む）とその共分散行列（Ｐ（〜））とを含む情報である。仮航跡更新回数（ｍ）、スキャン回数（ｋ）、及び尤度比（ＳＴ）は、航跡生成部２において仮航跡が航跡に確立されるまでに仮航跡が更新された回数、スキャンされた回数、及び航跡に確立された際の尤度比である。なお、図３において、状態ベクトル（ｘ（＾））はｘ上部に「＾（ハット）」が記載されて表現され、共分散行列（Ｐ（＾））はＰ上部に「＾（ハット）」が記載されて表現され、状態ベクトル（ｘ（〜））はｘ上部に「〜（チルダ）」が記載されて表現され、状態ベクトル（Ｐ（〜））はＰの上部に「〜（チルダ）」が記載されて表現されている。
【００２８】
同図に示す航跡テーブルには、航跡番号「２」で識別される航跡情報が、インデックス「２」で示される２行目に記憶されている。航跡番号「２」の航跡情報は、更新時刻「ｈｈ：ｍｍ：ｓｓ．ｓｓ」、平滑値（ｘ（＾）２，Ｐ（＾）２）、予測値（ｔｐ，ｘ（〜）２，Ｐ（〜）２）、仮航跡更新回数「ｍ２」、スキャン回数「ｋ２」、及び尤度比「ＳＴ２」を含んでいる。
【００２９】
図２に戻って、航跡維持部１の構成の説明を続ける。
相関判定部１１には、観測値が入力される。相関判定部１１は、入力される観測値と、航跡記憶部１０に記憶されている各目標の航跡との相関をとる。具体的には、相関判定部１１は、航跡記憶部１０に記憶されている航跡情報を順に読み出し、読み出した航跡情報の予測値に基づいて目標の相関ゲートを設定する。相関判定部１１は、読み出した航跡情報の予測値に含まれる状態ベクトル、及び共分散行列から相関ゲートを算出して設定する。
相関判定部１１は、観測値により示される状態ベクトルが設定した相関ゲート内に含まれるか否かを判定する。相関判定部１１は、観測値が相関ゲート内に含まれる場合、相関ゲートに対応する航跡の航跡番号と当該観測値との対応関係をフィルタリング処理部１２に通知する。一方、相関判定部１１は、観測値が相関ゲート内に含まれない場合、当該観測値と航跡との相関がないと判定する。相関判定部１１は、航跡記憶部１０に記憶されている全ての航跡と相関がない観測値を航跡生成部２に出力する。
【００３０】
フィルタリング処理部１２には、相関判定部１１から航跡番号と観測値との対応関係が通知される。フィルタリング処理部１２は、通知された観測値と航跡情報との対応関係に基づいて、観測時刻における各目標の状態ベクトル、及び共分散行列の平滑値を算出し、航跡記憶部１０に記憶されている航跡情報を更新する。また、フィルタリング処理部１２は、算出した状態ベクトル、及び共分散行列の平滑値を相関ゲート生成部１３及び操作・表示部４に出力する。
【００３１】
相関ゲート生成部１３は、フィルタリング処理部１２から入力される各目標の状態ベクトル、及び共分散行列の平滑値に基づいて、観測値が次に入力されるタイミング（時刻）における目標の状態ベクトル、及び共分散行列を算出する。例えば、相関ゲート生成部１３は、センサ５のスキャンが行われる周期内において目標が移動すると予測される位置、そのときの予測される速度、予測される位置の誤差範囲を算出する。また、相関ゲート生成部１３は、目標が取り得る複数の運動モデルごとに、予測される状態ベクトル、及び誤差範囲を算出する。運動モデルは、目標が加速した場合や、減速した場合、移動方向を変更（旋回）した場合、上昇した場合、降下した場合、更にはそれらの組み合わせごとに予め定められる。相関ゲート生成部１３は、目標ごとに各運動モデルに対応した、算出した目標の状態ベクトル、及び共分散行列と時刻とを含む予測値で、航跡記憶部１０に記憶されている航跡情報の予測値を更新する。
【００３２】
図４は、本実施形態における航跡生成部２の構成を示すブロック図である。同図に示すように、航跡生成部２は、仮航跡記憶部２０、相関判定部２１、仮航跡生成部２２、フィルタリング処理部２３、相関ゲート生成部２４、スキャン回数更新部２５、尤度比算出部２６、及び、尤度比判定部２７を備えている。
【００３３】
仮航跡記憶部２０には、仮航跡ごとに対応する仮航跡情報を含む仮航跡テーブルが記憶されている。仮航跡記憶部２０に記憶されている仮航跡テーブルは、図３に示した航跡テーブルと同じ構成を有している。仮航跡テーブルにおいて各行は、仮航跡ごとに存在する仮航跡情報に対応する。なお、仮航跡テーブルは、航跡番号に代えて仮航跡番号の項目の列を有する。仮航跡番号は、仮航跡を一意に識別する番号である。
【００３４】
相関判定部２１には、航跡維持部１から観測値が入力される。この観測値は、航跡維持部１の航跡記憶部１０に記憶されている全ての航跡と相関がない観測値である。相関判定部２１は、入力される観測値と、仮航跡記憶部２０に記憶されている仮航跡との相関をとる。具体的な処理は、相関判定部１１と同様であり、相関判定部２１は、仮航跡記憶部２０に記憶されている仮航跡情報を順に読み出し、読み出した仮航跡情報の予測値に基づいて目標の相関ゲートを設定する。相関判定部２１は、読み出した仮航跡情報の予測値に含まれる状態ベクトル、及び共分散行列から相関ゲートを算出して設定する。
相関判定部２１は、観測値により示される状態ベクトルが設定した相関ゲートに含まれるか否かを判定する。相関判定部２１は、観測値が相関ゲート内に含まれる場合、相関ゲートに対応する仮航跡の仮航跡番号と当該観測値との対応関係をフィルタリング処理部２３に通知する。相関判定部２１は、仮航跡記憶部２０に記憶されている全ての仮航跡と相関がない観測値を仮航跡生成部２２に出力する。
【００３５】
仮航跡生成部２２は、相関判定部２１から入力される観測値を新たな目標の可能性がある情報として、観測値に基づいて仮航跡情報を生成する。仮航跡生成部２２は、生成した仮航跡情報を仮航跡記憶部２０に書き込んで記憶させる。また、仮航跡生成部２２は、仮航跡更新回数とスキャン回数との初期値として「０」を設定し、尤度比に仮航跡更新回数とスキャン回数とに応じた値を設定する。
【００３６】
フィルタリング処理部２３には、相関判定部２１から仮航跡番号と観測値との対応関係が通知される。フィルタリング処理部２３は、観測値と仮航跡情報との対応関係に基づいて、観測時刻における各目標の状態ベクトル、及び共分散行列の平滑値を算出し、仮航跡記憶部２０に記憶されている仮航跡情報を更新する。また、フィルタリング処理部２３は、観測値と対応がとれた仮航跡情報に含まれる仮航跡更新回数を「１」増加させる更新を行う。また、フィルタリング処理部２３は、算出した状態ベクトル、及び共分散行列の平滑値を相関ゲート生成部２４に出力する。
【００３７】
相関ゲート生成部２４は、フィルタリング処理部２３から入力される各目標の状態ベクトル、及び共分散行列の平滑値に基づいて、観測値が次に入力されるタイミング（時刻）における目標の状態ベクトル、及び共分散行列を算出する。例えば、相関ゲート生成部２４は、センサ５のスキャンが行われる周期内において目標が移動すると予測される位置、そのときの予測される速度、予測される位置の誤差範囲を算出する。相関ゲート生成部２４は、目標ごとに、算出した目標の状態ベクトル、及び共分散行列と時刻とを含む予測値で、仮航跡記憶部２０に記憶されている仮航跡情報の予測値を更新する。
【００３８】
スキャン回数更新部２５は、スキャン信号が入力される都度、仮航跡記憶部２０に記憶されている各仮航跡情報に含まれるスキャン回数を「１」増加させる更新を行う。スキャン信号は、センサ５が目標からの受信信号を得るためにスキャンを行ったことを示す信号であって、センサ５から入力される信号である。なお、センサ５が一部の領域に対してスキャンを行う都度、スキャン信号を出力する場合、スキャン回数更新部２５は、当該領域に位置する目標に対応する仮航跡情報のスキャン回数を更新する。
【００３９】
尤度比算出部２６は、仮航跡ごとに、当該仮航跡に対応する仮航跡情報を仮航跡記憶部２０から読み出し、読み出した仮航跡情報に含まれる仮航跡更新回数及びスキャン回数から尤度比を算出する。尤度比算出部２６は、各仮航跡の仮航跡情報に含まれる尤度比を、算出した尤度比で更新する。尤度比算出部２６が算出する尤度比は、仮航跡が目標の航跡である確からしさを示す値である。この尤度比は、スキャン回数をｋとし、仮航跡更新回数をｍとしたときに、ＳＰＲＴ法に基づいて下記（１）式により算出される。
【００４０】
【数１】
2014044132.tif 000003
【００４１】
上記（１）式における係数ａ１及び係数ａ２は、下記（２）式及び（３）式で表される。
【００４２】
【数２】
2014044132.tif 000004
【００４３】
【数３】
2014044132.tif 000005
【００４４】
上記（２）式及び（３）式におけるＰＤは目標の検出確率であり、ＰＦは誤警報の検出確率である。
【００４５】
また、本実施形態においては、仮航跡を航跡と判定する処理としてＳＰＲＴ法を用いている。このＳＰＲＴ法は、スキャン回数ｋ及び仮航跡更新回数ｍから求めた尤度比ＳＴにより仮航跡を航跡にするか否かの判定を行う。ＳＰＲＴ法は、２つの仮説のいずれかを採択するという問題に適用される。ここで、Ｈ０を帰無仮説、Ｈ１を対立仮説とする。例えば、航跡の確定にＳＰＲＴ法を用いた場合、Ｈ０に目標が存在しないという仮説を割り当てる。すなわちＨ０を採択する場合、仮航跡は誤警報の航跡であるという判定をすることになる。一方、Ｈ１には目標が存在するという仮説を割り当てる。すなわちＨ１を採択する場合、仮航跡は実際の目標の航跡であるという判定をすることになる。
【００４６】
ＳＰＲＴ法では、スキャンを行う都度、尤度比ＳＴを評価し、その結果により以下の３つのうちいずれかを選択する。
１．Ｈ０を採択、仮航跡が誤警報の航跡によるものである。
２．Ｈ１を採択、仮航跡が目標の航跡である。
３．Ｈ０及びＨ１のいずれも採択せず、仮航跡の判定処理を継続する。
【００４７】
また、上述した係数ａ１及び係数ａ２のほかに、仮航跡が目標の航跡か、あるいは誤警報の航跡であるかの判定を行うための下限閾値ＴＬ及び上限閾値ＴＵが予め定められる。この下限閾値ＴＬ及び上限閾値ＴＵは、下記（４）式及び（５）式で表される。
【００４８】
【数４】
2014044132.tif 000006
【００４９】
【数５】
2014044132.tif 000007
【００５０】
上記（４）式及び（５）式で用いられているαは誤警報の航跡を目標の航跡と判定する第１種の誤り率を示し、βは目標の航跡を誤警報の航跡と判定する第２種の誤り率を示している。
【００５１】
尤度比判定部２７は、仮航跡記憶部２０に記憶されている仮航跡情報ごとに、仮航跡情報の尤度比ＳＴと予め定められた下限閾値ＴＬ及び上限閾値ＴＵとの比較を行う。
尤度比判定部２７は、仮航跡情報に含まれる尤度比ＳＴが上限閾値ＴＵ以上である場合、対立仮説Ｈ１を採択してこの仮航跡情報に対応する仮航跡を目標の航跡であると判定し、航跡に確立することを決定する。このとき、尤度比判定部２７は、航跡に確立する仮航跡の仮航跡情報を仮航跡記憶部２０から読み出し、読み出した仮航跡情報を航跡情報として航跡記憶部１０に記憶させる。また、尤度比判定部２７は、航跡に確立した仮航跡の仮航跡情報を仮航跡記憶部２０から削除する。
【００５２】
尤度比判定部２７は、仮航跡情報に含まれる尤度比ＳＴが下限閾値ＴＬ以下である場合、帰無仮説Ｈ０を採択してこの仮航跡情報に対応する仮航跡を誤警報の航跡と判定し、当該仮航跡情報を仮航跡記憶部２０から削除する。
尤度比判定部２７は、尤度比ＳＴが上限閾値ＴＵ以上でなく、かつ下限閾値ＴＬ以下でもない仮航跡情報に関しては、仮航跡として仮航跡記憶部２０に記憶させておき、仮航跡として判定対象にしておく。
【００５３】
上述のように、航跡生成部２は、航跡維持部１が相関判定部１１、フィルタリング処理部１２、及び相関ゲート生成部１３を備えるように、相関判定部２１、フィルタリング処理部２３、及び相関ゲート生成部２４を備える。
【００５４】
例えば、航跡維持部１の相関ゲート生成部１３では、目標が加速した場合や、減速した場合、更には、移動方向の変更を含む複数の運動モデルに基づいて複数の予測値を生成するのに対して、航跡生成部２の相関ゲート生成部２４では等速運動に対応する運動モデルを用いて予測値を生成する。また、フィルタリング処理部１２では相関ゲート生成部１３が生成した予測値に基づいて平滑処理を行い、フィルタリング処理部２３では相関ゲート生成部２４が生成した予測値に基づいて平滑処理を行う。このように、航跡維持部１では目標の移動を多数の運動モデルに基づいて予測し、航跡生成部２では目標の移動を航跡維持部１より少ない運動モデルに基づいて予測している。すなわち、航跡維持部１においては、航跡生成部２よりも多い運動モデル数に基づいた追跡処理を行っているため、一つの目標に対して利用する計算資源が多くなる。
【００５５】
このように、航跡生成部２では、航跡維持部１に比べて、目標の航跡として確立される前の仮航跡一つあたりに割り当てる計算資源が少ない。一般的に、航跡生成部２においては、仮航跡一つあたりに割り当てる計算資源を少なくしている。一方、目標の航跡である可能性が十分に高いとして確立された航跡に対しては、その航跡を維持するために十分な計算資源を割り当て、精度よく目標の位置を把握するようにしている。
【００５６】
図５は、本実施形態における目標追跡装置が仮航跡に対して行う処理の流れの具体例を示すフローチャートである。このフローチャートが示す処理は、例えば、スキャン信号が入力される都度、行われる。
同図のフローチャートに例示するように、航跡生成部２において相関判定部２１は航跡維持部１から観測値を入力する（ステップＳ１）。
相関ゲート生成部２４は、仮航跡記憶部２０に記憶されている仮航跡情報の予測値を観測値の観測時刻に基づいて更新する。相関判定部２１は、入力した観測値と仮航跡記憶部２０に記憶されている各仮航跡情報との相関をとる。相関判定部２１は、各仮航跡情報と観測値との相関に基づいて、観測値と仮航跡の対応関係を決定する。（ステップＳ２）。
【００５７】
尤度比算出部２６は、仮航跡記憶部２０に記憶されている仮航跡情報を順に読み出し、読み出した仮航跡情報の尤度比ＳＴを算出する。尤度比算出部２６は、算出した尤度比ＳＴを仮航跡記憶部２０に書き込み記憶させる（ステップＳ３）。
【００５８】
尤度比判定部２７は、仮航跡記憶部２０に記憶されている仮航跡情報それぞれに対して、ステップＳ４からステップＳ１０までの処理を行う。
尤度比判定部２７は、仮航跡記憶部２０から仮航跡情報を読み出し（ステップＳ４）、読み出した仮航跡情報に含まれる尤度比ＳＴが下限閾値ＴＬ以下であるか否かを判定する（ステップＳ５）。
【００５９】
尤度比ＳＴが下限閾値ＴＬ以下である場合（ステップＳ５：ＹＥＳ）、尤度比判定部２７は、読み出した仮航跡情報を仮航跡記憶部２０から削除し（ステップＳ１０）、処理をステップＳ４に戻して次の仮航跡に対する処理を行う。
一方、尤度比ＳＴが下限閾値ＴＬ以下でない場合（ステップＳ５：ＮＯ）、尤度比判定部２７は、読み出した仮航跡情報に含まれる尤度比ＳＴが上限閾値ＴＵ以上であるか否かを判定する（ステップＳ６）。
【００６０】
尤度比ＳＴが上限閾値ＴＵ以上である場合（ステップＳ６：ＹＥＳ）、尤度比判定部２７は、読み出した仮航跡情報を航跡情報として確立することを決定し（ステップＳ８）、当該仮航跡情報を航跡維持部１に新たな航跡情報として出力し（ステップＳ９）、処理をステップＳ４に戻して次の仮航跡に対する処理を行う。航跡維持部１に出力された航跡情報（仮航跡情報）には、航跡維持部１において航跡番号が割り当てられる。仮航跡番号が航跡番号に置き換えられた新たな航跡情報は、航跡記憶部１０に記憶される。
【００６１】
一方、尤度比ＳＴが上限閾値ＴＵ以上でない場合（ステップＳ６：ＮＯ）、尤度比判定部２７は、読み出した仮航跡情報に含まれる尤度比ＳＴが仮航跡記憶部２０に記憶されている仮構成情報に含まれる尤度比ＳＴのうち値が大きい順に上位Ｊ番目以内であるか否かを判定する（ステップＳ７）。ステップＳ７における判定条件「上位Ｊ番目以内」のＪ番目は、資源管理部３から入力される制御データにより指定される。
【００６２】
尤度比ＳＴが上位Ｊ番目以内でない場合（ステップＳ７：ＮＯ）、尤度比判定部２７は、当該仮航跡を仮航跡のままとして、処理をステップＳ４に戻して次の仮航跡に対す処理を行う。
一方、尤度比ＳＴが上位Ｊ番目以内である場合（ステップＳ７：ＹＥＳ）、尤度比判定部２７は、読み出した仮航跡情報を航跡情報として確立することを決定し（ステップＳ８）、当該仮航跡情報を航跡維持部１に新たな航跡情報として出力し（ステップＳ９）、処理をステップＳ４に戻して次の仮航跡に対する処理を行う。尤度比ＳＴが上限閾値ＴＵ以上である場合と同様に、航跡維持部１に出力された航跡情報（仮航跡情報）には、航跡維持部１において航跡番号が割り当てられる。仮航跡番号が航跡番号に置き換えられた新たな航跡情報は、航跡記憶部１０に記憶されることにより、航跡維持部１に登録される。
【００６３】
相関判定部２１は、尤度比判定部２７が各仮航跡に対しての判定処理を終えると、全ての観測値がいずれかの仮航跡と対応付けられたか否かを判定し（ステップＳ１１）、全ての観測値がいずれかの仮航跡と対応付けられた場合（ステップＳ１１：ＹＥＳ）、処理を終了する。
一方、いずれの仮航跡とも対応付けられていない観測値がある場合（ステップＳ１１：ＮＯ）、仮航跡生成部２２は、いずれの仮航跡とも対応付けられなかった観測値ごとに仮航跡情報を生成し、生成した仮航跡情報を仮航跡記憶部２０に書き込み記憶させ（ステップＳ１２）、処理を終了する。
【００６４】
以上の処理を行うことにより、航跡生成部２は、航跡維持部１において航跡と相関がないと判定された観測値を用いて、仮航跡に対する処理を行う。なお、航跡維持部１が目標の航跡と相関があった観測値を含む全ての観測値を航跡生成部２に出力するようにしてもよい。
【００６５】
ここで、資源管理部３が航跡維持部１における計算資源の利用状況（航跡の数）から制御データを生成する手順について説明する。ここでは、航跡維持部１が同時に処理できる航跡の数をＮｍａｘとし、航跡維持部１が現在処理している航跡の数をＮｎｏｗとして説明する。
【００６６】
資源管理部３は、航跡維持部１から入力される利用状況に基づいて、航跡維持部１において利用されていない計算資源を把握する。具体的には、Ｎｎｏｗ個の航跡を処理している航跡維持部１では、（Ｎｍａｘ−Ｎｎｏｗ）個の航跡を処理できる計算資源を利用していないことになる。資源管理部３は、航跡維持部１における計算資源の利用状況として処理中の航跡（目標）の数Ｎｎｏｗを航跡維持部１から入力することにより、航跡維持部１において利用されていない計算資源を把握する。
資源管理部３は、（Ｎｍａｘ−Ｎｎｏｗ）個の仮航跡を航跡に確立させる制御を航跡生成部２に対して行う。具体的には、資源管理部３は、Ｊ＝（Ｎｍａｘ−Ｎｎｏｗ）とした制御データを生成し、生成した制御データを航跡生成部２の尤度比判定部２７に出力する。すなわち、（Ｎｍａｘ−Ｎｎｏｗ）個の仮航跡が、航跡に確立されるように航跡生成部２を制御する。
【００６７】
このように、資源管理部３は、航跡維持部１において処理されている航跡の数から航跡維持部１において利用されていない計算資源を把握する。資源管理部３が、利用されていない航跡維持部１の計算資源を有効に利用できるように、航跡生成部２の尤度比判定部２７を制御することにより、目標追跡装置が有する計算資源を有効に利用することができる。更に、航跡維持部１では目標の移動を予測する際に用いられる運動モデル（選択肢）の数が航跡生成部２で用いられる運動モデルの数より多いので、精度よく目標の位置を予測することができ、目標の追跡性能を向上させることができる。
【００６８】
また、仮航跡を目標の航跡と判定する迄の航跡生成段階よりも、目標の航跡と判断された航跡維持段階において、目標追跡装置の時間・エネルギー資源（センサ５がアクティブセンサである場合における送信パルス幅、積分パルス数、観測間隔等の捜索又は追跡に用い得る資源。又は、センサ５がパッシブセンサである場合における積分時間、観測間隔等の捜索又は追跡に用い得る資源。）を多く配分する目標追跡装置では、航跡生成部２の尤度比判定部２７を制御することにより、目標追跡装置が有する時間・エネルギー資源を有効に利用することができる。更に、航跡維持段階において時間・エネルギー資源を多く配分する目標追跡装置では、優れた信号対雑音比や短い観測間隔で目標を追跡することができ、目標の追跡性能を向上させることができる。
【００６９】
上述のように、本実施形態における目標追跡装置では、資源管理部３が航跡生成部２における判定条件を制御することにより、自装置が有するハードウェア資源であって目標の追跡処理を行うために用いるハードウェア資源、例えば航跡維持部１における計算資源や、センサ５における追跡に用い得る資源の稼働率を上げることができ、目標の追跡性能を向上させることができる。
【００７０】
なお、資源管理部３は、所定のマージン数（Ｎｍａｒｇｉｎ）に相当する計算資源を残した上で、「上位Ｊ番目」におけるＪを決定するようにしてもよい。すなわち、資源管理部３は、Ｊ＝（Ｎｍａｘ−Ｎｎｏｗ−Ｎｍａｒｇｉｎ）として制御データを生成するようにしてもよい。
また、目標追跡装置の動作開始から時間が経過していない場合や目標の消失が発生しない場合、航跡生成部２が目標の航跡と判定した数の累積値が、航跡維持部１において処理されている航跡の数と一致するため、目標の航跡として登録された航跡の数を累積することによって航跡維持部１において利用されていない計算資源を把握するように構成することができる。
【００７１】
また、本実施形態の目標追跡装置では１つのセンサ５が航跡維持部１に接続されている構成例を説明したが、目標追跡装置が複数のセンサ５を具備し、複数のセンサ５が航跡維持部１に接続されている構成としてもよい。
【００７２】
（第２の実施形態）
第１の実施形態では、航跡維持部１における計算資源の利用状況に応じて上位Ｊ番目までの仮航跡を目標の航跡にする制御を行う構成について説明した。第２の実施形態における目標追跡装置では、仮航跡を目標の航跡とする際に、仮航跡の尤度比ＳＴにも着目した制御を行う。
図６は、第２の実施形態における目標追跡装置の構成を示すブロック図である。本実施形態の目標追跡装置は、航跡維持部１、航跡生成部２、資源管理部３ａ、操作・表示部４、及び、センサ５を具備している。本実施形態の目標追跡装置は、第１の実施形態における目標追跡装置と同様に、センサ５から入力される観測値に基づいて、目標の航跡を算出し、その結果を表示する。
【００７３】
本実施形態における目標追跡装置の構成は、第１の実施形態における目標追跡装置の構成（図１）に対して、資源管理部３を資源管理部３ａに代えられている。なお、航跡維持部１と航跡生成部２と操作・表示部４とについては第１の実施形態の構成と同じであるのでその説明を省略する。
【００７４】
資源管理部３ａは、第１の実施形態における資源管理部３と同様に、航跡維持部１が有している計算資源の利用状況を把握する。資源管理部３ａは、把握した利用状況に基づいて、仮航跡を航跡に確立させる際に用いられる判定条件を決定する。資源管理部３ａは、計算資源の利用状況に応じて決定した判定条件を含む制御データを航跡生成部２に出力することにより、仮航跡から航跡に確立される数を制御して航跡維持部１の計算資源を有効に利用させる。また、資源管理部３ａは、資源管理部３と同様に、センサ５における資源の利用状況も把握する。
資源管理部３ａは、「上位Ｊ番目」におけるＪの値と資源管理用閾値ＴＭとを含む制御データを用いて航跡生成部２を制御する。資源管理用閾値ＴＭは、予め定められる値であって仮航跡を目標の航跡と判定する際に用いる尤度比ＳＴに対する条件である。この資源管理用閾値ＴＭは下記（６）式により算出される。
【００７５】
【数６】
2014044132.tif 000008
【００７６】
上記（６）式は、上限閾値ＴＵを算出する（５）式において、第１種の誤り率αを誤り率αＭに代えた構成となっている。したがって、資源管理用の誤り率αＭを第１種の誤り率αに対して大きくするほど、実質的に資源管理用閾値ＴＭを上限閾値ＴＵより低い値にすることになる。
【００７７】
図７は、本実施形態における目標追跡装置が仮航跡に対して行う処理の流れの具体例を示すフローチャートである。このフローチャートが示す処理は、例えば、スキャン信号が入力される都度、行われる。
同図のフローチャートに例示するように、航跡生成部２において相関判定部２１は航跡維持部１から観測値を入力する（ステップＳ３１）。
【００７８】
相関ゲート生成部２４は、仮航跡記憶部２０に記憶されている仮航跡情報の予測値を観測値の観測時刻に基づいて更新する。相関判定部２１は、入力した観測値と仮航跡記憶部２０に記憶されている各仮航跡情報との相関をとる。相関判定部２１は、各仮航跡情報と観測値との相関に基づいて、観測値と仮航跡の対応関係を決定する。（ステップＳ３２）。
尤度比算出部２６は、仮航跡記憶部２０に記憶されている仮航跡情報を順に読み出し、読み出した仮航跡情報の尤度比ＳＴを算出する。尤度比算出部２６は、算出した尤度比ＳＴを仮航跡記憶部２０に書き込み記憶させる（ステップＳ３３）。
【００７９】
尤度比判定部２７は、仮航跡記憶部２０に記憶されている仮航跡情報それぞれに対して、ステップＳ３４からステップＳ４０までの処理を行う。
尤度比判定部２７は、仮航跡記憶部２０から仮航跡情報を読み出し（ステップＳ３４）、読み出した仮航跡情報に含まれる尤度比ＳＴが下限閾値ＴＬ以下であるか否かを判定する（ステップＳ３５）。
【００８０】
尤度比ＳＴが下限閾値ＴＬ以下である場合（ステップＳ３５：ＹＥＳ）、尤度比判定部２７は、読み出した仮航跡情報を仮航跡記憶部２０から削除し（ステップＳ４０）、処理をステップＳ３４に戻して次の仮航跡に対する処理を行う。
一方、尤度比ＳＴが下限閾値ＴＬ以下でない場合（ステップＳ３５：ＮＯ）、尤度比判定部２７は、読み出した仮航跡情報に含まれる尤度比ＳＴが上限閾値ＴＵ以上であるか否かを判定する（ステップＳ３６）。
【００８１】
尤度比ＳＴが上限閾値ＴＵ以上である場合（ステップＳ３６：ＹＥＳ）、尤度比判定部２７は、読み出した仮航跡情報を航跡情報として確立することを決定し（ステップＳ３８）、当該仮航跡情報を航跡維持部１に新たな航跡情報として出力し（ステップＳ３９）、処理をステップＳ３４に戻して次の仮航跡に対する処理を行う。航跡維持部１に出力された航跡情報（仮航跡情報）には、航跡維持部１において航跡番号が割り当てられる。仮航跡番号が航跡番号に置き換えられた新たな航跡情報は、航跡記憶部１０に記憶される。
【００８２】
一方、尤度比ＳＴが上限閾値ＴＵ以上でない場合（ステップＳ３６：ＮＯ）、尤度比判定部２７は、読み出した仮航跡情報に含まれる尤度比ＳＴが仮航跡記憶部２０に記憶されている仮構成情報に含まれる尤度比ＳＴのうち値が大きい順に上位Ｊ番目以内であり、かつ尤度比ＳＴが資源管理用閾値ＴＭ以上であるか否かを判定する（ステップＳ３７）。ステップＳ３７における判定条件「上位Ｊ番目以内」のＪ番目、及び資源管理用閾値ＴＭは、資源管理部３から入力される制御データに含まれる。
【００８３】
尤度比ＳＴが上位Ｊ番目以内でない、又は尤度比ＳＴが資源管理用閾値ＴＭ以上でない場合（ステップＳ３７：ＮＯ）、尤度比判定部２７は、当該仮航跡を仮航跡のままとして、処理をステップＳ３４に戻して次の仮航跡に対す処理を行う。
一方、尤度比ＳＴが上位Ｊ番目以内であり、かつ尤度比ＳＴが資源管理用閾値ＴＭ以上である場合（ステップＳ３７：ＹＥＳ）、尤度比判定部２７は、読み出した仮航跡情報を航跡情報として確立することを決定し（ステップＳ３８）、当該仮航跡情報を航跡維持部１に新たな航跡情報として出力し（ステップＳ３９）、処理をステップＳ４に戻して次の仮航跡に対する処理を行う。尤度比ＳＴが上限閾値ＴＵ以上である場合と同様に、航跡維持部１に出力された航跡情報（仮航跡情報）には、航跡維持部１において航跡番号が割り当てられる。仮航跡番号が航跡番号に置き換えられた新たな航跡情報は、航跡記憶部１０に記憶されることにより、航跡維持部１に登録される。
【００８４】
相関判定部２１は、尤度比判定部２７が各仮航跡に対する判定処理を終えると、全ての観測値がいずれかの仮航跡と対応付けられたか否かを判定し（ステップＳ４１）、全ての観測値がいずれかの仮航跡と対応付けられた場合（ステップＳ４１：ＹＥＳ）、処理を終了する。
一方、いずれの仮航跡とも対応付けられていない観測値がある場合（ステップＳ４１：ＮＯ）、仮航跡生成部２２は、いずれの仮航跡とも対応付けられなかった観測値ごとに仮航跡情報を生成し、生成した仮航跡情報を仮航跡記憶部２０に書き込み記憶させ（ステップＳ４２）、処理を終了する。
【００８５】
以上の処理を行うことにより、航跡生成部２は、航跡維持部１において航跡と相関がないと判定された観測値を用いて、仮航跡に対する処理を行う。
本実施形態における資源管理部３ａは、第１の実施形態における資源管理部３と同様に、航跡維持部１が有する計算資源を有効に利用できるように、航跡生成部２を制御する。資源管理部３ａは、尤度比ＳＴが上位Ｊ番目以内であるという条件に、尤度比ＳＴが資源管理用閾値ＴＭ以上であるという条件を加えた制御データにより航跡生成部２を制御している。このように、航跡に確立させる仮航跡の尤度比ＳＴ（信頼度）を考慮することにより、誤警報の航跡である可能性が高い仮航跡が航跡として確立されることを抑制する。その結果、航跡維持部１の計算資源を無駄に利用することを抑えつつ、計算資源を有効に利用することができる。
【００８６】
なお、本実施形態では資源管理用閾値ＴＭを予め定める構成について説明したが、これに限ることなく、操作・表示部４を介して、操作者が資源管理用閾値ＴＭを目標追跡装置に入力し、資源管理部３ａが入力された資源管理用閾値ＴＭを制御データに含めるようにしてもよい。
また、本実施形態では資源管理用閾値ＴＭを（６）式で算出する説明をしたが、これに限ることなく、下記（７）式及び（８）式を用いて資源管理用閾値ＴＭを算出するようにしてもよい。ただし、αＭ≧αとする。
【００８７】
【数７】
2014044132.tif 000009
【００８８】
上記（７）式におけるβＭｉは、下記（８）式で表される。
【００８９】
【数８】
2014044132.tif 000010
【００９０】
また、上述の実施形態で用いた誤警報の検出確率ＰＦは、単位空間当たりの誤警報数にゲートサイズ（空間の大きさ）を乗じて得られる値を用いてもよい。このような場合、誤警報の検出確率ＰＦがゲートサイズに応じて変化することに合わせて、尤度比ＳＴを算出する（１）式に代えて下記（９）式を用いて尤度比ＳＴを算出するようにしてもよい。
【００９１】
【数９】
2014044132.tif 000011
【００９２】
また、上述の実施形態において、上限閾値ＴＵや、下限閾値ＴＬ、資源管理用閾値を算出する式に自然対数（ｌｎ）を用いた例を示したが、自然対数に代えて常用対数（ｌｏｇ１０）を用いるようにしてもよい。更に、相互の関係が保たれるように式を変形したり、対数の代わりに真数を用いるようにしてもよい。
【００９３】
なお、上述の実施形態における目標追跡装置の機能を実現するためのプログラムをコンピュータ読み取り可能な記録媒体に記録して、この記録媒体に記録されたプログラムをコンピュータシステムに読み込ませ、実行することにより航跡維持部、航跡生成部及び資源管理部として動作させるようにしてもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００９４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。更に、前述した機能をコンピュータシステムに既に記録されているプログラムとの組み合わせで実現できるもの、いわゆる差分ファイル（差分プログラム）であってもよい。
【００９５】
なお、いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
例えば、上記の実施形態では、目標追跡装置を１つの装置として構成した例を示したが複数の装置を通信回線等で接続して構成してもよい。また、上記の実施形態では、ＳＰＲＴ法に基づいて尤度比ＳＴを算出する構成例を示したが、Ｍ／Ｎ法などに基づいて尤度比ＳＴを算出するようにしてもよい。
【符号の説明】
【００９６】
１  航跡維持部
２  航跡生成部
３、３ａ  資源管理部
４  操作・表示部
５  センサ
１０  航跡記憶部
１１  相関判定部
１２  フィルタリング処理部
１３  相関ゲート生成部
２０  仮航跡記憶部
２１  相関判定部
２２  仮航跡生成部
２３  フィルタリング処理部
２４  相関ゲート生成部
２５  スキャン回数更新部
２６  尤度比算出部
２７  尤度比判定部
１０１  航跡維持部
１０２  航跡生成部
１０３  資源管理部
１０４  操作・表示部
１０５  センサ
【図１】
2014044132.tif 000012
【図２】
2014044132.tif 000013
【図３】
2014044132.tif 000014
【図４】
2014044132.tif 000015
【図５】
2014044132.tif 000016
【図６】
2014044132.tif 000017
【図７】
2014044132.tif 000018
【図８】
2014044132.tif 000019
【図９】
2014044132.tif 000020